(57)【要約】【課題】本発明は、複数の異なる方式のコンテンツの対応関係、差異を可視化できる画像解析装置、およびその制御方法を提供することを目的とする。【解決手段】本発明の画像解析装置は、第１の入力画像データに基づいて、第１の波形モニタを生成する第１の生成手段と、第２の入力画像データに基づいて、第２の波形モニタを生成する第２の生成手段と、前記第１の波形モニタと前記第２の波形モニタとを合成する合成手段と、を備える。【選択図】図１
2018082316.tif 000002
【特許請求の範囲】
【請求項１】
第１の入力画像データに基づいて、第１の波形モニタを生成する第１の生成手段と、
第２の入力画像データに基づいて、第２の波形モニタを生成する第２の生成手段と、
前記第１の波形モニタと前記第２の波形モニタとを合成する合成手段と、
を備えることを特徴とする画像解析装置。
【請求項２】
前記第１の波形モニタおよび前記第２の波形モニタは明度軸を有し、
前記合成手段は、前記第１の波形モニタと前記第２の波形モニタの明度軸同士を対応付けて、前記第１の波形モニタと前記第２の波形モニタとを合成する
ことを特徴とする請求項１に記載の画像解析装置。
【請求項３】
前記合成手段は、前記第１の波形モニタと前記第２の波形モニタとを並置する
ことを特徴とする請求項２に記載の画像解析装置。
【請求項４】
前記合成手段は、前記第１の波形モニタの明度軸と前記第２の波形モニタの明度軸とに共通に含まれる範囲を対応付ける
ことを特徴とする請求項２または３に記載の画像解析装置。
【請求項５】
前記合成手段は、前記共通に含まれる範囲の位置を合わせて、前記第１の波形モニタと前記第２の波形モニタを並置する
ことを特徴とする請求項４に記載の画像解析装置。
【請求項６】
前記合成手段は、前記共通に含まれる範囲外の範囲を圧縮する
ことを特徴とする請求項４または５に記載の画像解析装置。
【請求項７】
前記合成手段は、明度軸に共通に含まれる特定の値の位置を合わせて、前記第１の波形モニタ及び第２の波形モニタを並置する
ことを特徴とする請求項２または３に記載の画像解析装置。
【請求項８】
前記第１の波形モニタ及び第２の波形モニタは、縦軸又は横軸のいずれか一方は明度を示し、もう一方は入力画像データに基づく画像の水平または垂直位置を示し、かつ波形モニタ上にプロットされた点は対応する画素の数に関する情報を輝度または色で示すグラフである
ことを特徴とする請求項２から７のいずれか１項に記載の画像解析装置。
【請求項９】
第１の入力画像データに基づいて、第１のベクトルスコープを生成する第１の生成手段と、
第２の入力画像データに基づいて、第２のベクトルスコープを生成する第２の生成手段と、
前記第１のベクトルスコープ及び前記第２のベクトルスコープを、異なる複数の色相範囲に分割し、同じ色相範囲毎に並置した画像を合成する合成手段と、
を備えることを特徴とする画像解析装置。
【請求項１０】
前記第２の入力画像データの輝度のダイナミックレンジは、前記第１の入力画像データの輝度のダイナミックレンジと異なる
ことを特徴とする請求項１から９のいずれか１項に記載の画像解析装置。
【請求項１１】
第１の入力画像データに基づいて、第１の波形モニタを生成する第１の生成ステップと、
第２の入力画像データに基づいて、第２の波形モニタを生成する第２の生成ステップと、
前記第１の波形モニタと前記第２の波形モニタとを合成する合成ステップと、
を有することを特徴とする画像解析装置の制御方法。
【請求項１２】
前記第１の波形モニタおよび前記第２の波形モニタは明度軸を有し、
前記合成ステップでは、前記第１の波形モニタと前記第２の波形モニタの明度軸同士を対応付けて、前記第１の波形モニタと前記第２の波形モニタとを合成する
ことを特徴とする請求項１１に記載の画像解析装置の制御方法。
【請求項１３】
前記合成ステップでは、前記第１の波形モニタと前記第２の波形モニタとが並置されることを特徴とする請求項１２に記載の画像解析装置の制御方法。
【請求項１４】
前記合成ステップでは、前記第１の波形モニタの明度軸と前記第２の波形モニタの明度軸とに共通に含まれる範囲が対応付けられる
ことを特徴とする請求項１２または１３に記載の画像解析装置の制御方法。
【請求項１５】
前記合成ステップでは、前記共通に含まれる範囲の位置を合わせて、前記第１の波形モニタと前記第２の波形モニタが並置される
ことを特徴とする請求項１４に記載の画像解析装置の制御方法。
【請求項１６】
前記合成ステップでは、前記共通に含まれる範囲外の範囲が圧縮される
ことを特徴とする請求項１４または１５に記載の画像解析装置の制御方法。
【請求項１７】
前記合成ステップでは、明度軸に共通に含まれる特定の値の位置を合わせて、前記第１の波形モニタ及び第２の波形モニタが並置される
ことを特徴とする請求項１２または１３に記載の画像解析装置の制御方法。
【請求項１８】
前記第１の波形モニタ及び第２の波形モニタは、縦軸又は横軸のいずれか一方は明度を示し、もう一方は入力画像データに基づく画像の水平または垂直位置を示し、かつ波形モニタ上にプロットされた点は対応する画素の数に関する情報を輝度または色で示すグラフである
ことを特徴とする請求項１２から１７のいずれか１項に記載の画像解析装置の制御方法。
【請求項１９】
第１の入力画像データに基づいて、第１のベクトルスコープを生成する第１の生成ステップと、
第２の入力画像データに基づいて、第２のベクトルスコープを生成する第２の生成ステップと、
前記第１のベクトルスコープ及び前記第２のベクトルスコープを、異なる複数の色相範囲に分割し、同じ色相範囲毎に並置した画像を合成する合成ステップと、
を有することを特徴とする画像解析装置の制御方法。
【請求項２０】
前記第２の入力画像データの輝度のダイナミックレンジは、前記第１の入力画像データの輝度のダイナミックレンジと異なる
ことを特徴とする請求項１１から１９のいずれか１項に記載の画像解析装置の制御方法。
【請求項２１】
請求項１１から２０のいずれか１項に記載の画像解析装置の制御方法の各ステップをコンピュータに実行させるためのプログラム。
【発明の詳細な説明】
【技術分野】
【０００１】
本発明は画像解析装置およびその制御方法に関する。
【背景技術】
【０００２】
映像撮影現場や編集現場で使用される装置として、波形モニタ、ベクトルスコープがある。波形モニタは、画像データの明度の分布を解析、可視化する装置である。ベクトルスコープは、画像データの色相、彩度の分布を解析、可視化する装置である。これらの装置は、例えば特許文献１に開示されている。
【０００３】
一方、近年、従来方式よりもより明度のダイナミックレンジが広い画像を実現する方式として、ＨＤＲ（Ｈｉｇｈ  Ｄｙｎａｍｉｃ  Ｒａｎｇｅ）と呼ばれる方式が提案されている。また、同一の素材（撮影により取得された画像データ）から、従来のＳＤＲ（Ｓｔａｎｄａｒｄ  Ｄｙｎａｍｉｃ  Ｒａｎｇｅ）方式のコンテンツと、ＨＤＲ方式のコンテンツの両方を制作する運用も行われている。この運用のように、同一の素材から生まれる複数の方式のコンテンツを解析することに適した画像解析装置が求められている。
【先行技術文献】
【特許文献】
【０００４】
【特許文献１】特開２０１４−１０７７９９号公報
【発明の概要】
【発明が解決しようとする課題】
【０００５】
前述のＳＤＲ方式とＨＤＲ方式の両方のコンテンツを制作する運用において、ＳＤＲ方式向けに画質調整（カラーグレーディング）が施された後に、ＨＤＲ方式向けに再度画質調整が施される場合もある。この場合、画像解析装置が、ＨＤＲ方式のコンテンツ（ＨＤＲ信号）とＳＤＲ方式のコンテンツ（ＳＤＲ信号）の各種特性の対応関係、差異を分かりやすく表示する必要がある。
【０００６】
しかしながら、上述した従来の技術では、ＨＤＲ方式とＳＤＲ方式のコンテンツの解析結果をそれぞれ単独で可視化しており、対応関係、差異を判別することが難しかった。そこで、本発明は、複数の異なる方式のコンテンツの対応関係、差異を可視化できる画像解析装置、およびその制御方法を提供することを目的とする。
【課題を解決するための手段】
【０００７】
本発明の第１態様は、
第１の入力画像データに基づいて、第１の波形モニタを生成する第１の生成手段と、
第２の入力画像データに基づいて、第２の波形モニタを生成する第２の生成手段と、
前記第１の波形モニタと前記第２の波形モニタとを合成する合成手段と、
を備えることを特徴とする画像解析装置である。
【０００８】
本発明の第２態様は、
第１の入力画像データに基づいて、第１のベクトルスコープを生成する第１の生成手段と、
第２の入力画像データに基づいて、第２のベクトルスコープを生成する第２の生成手段と、
前記第１のベクトルスコープ及び前記第２のベクトルスコープを、異なる複数の色相範囲に分割し、同じ色相範囲毎に並置した画像を合成する合成手段と、
を備えることを特徴とする画像解析装置である。
【０００９】
本発明の第３態様は、
第１の入力画像データに基づいて、第１の波形モニタを生成する第１の生成ステップと、
第２の入力画像データに基づいて、第２の波形モニタを生成する第２の生成ステップと、
前記第１の波形モニタと前記第２の波形モニタとを合成する合成ステップと、
を有することを特徴とする画像解析装置の制御方法である。
【００１０】
本発明の第４態様は、
第１の入力画像データに基づいて、第１のベクトルスコープを生成する第１の生成ステップと、
第２の入力画像データに基づいて、第２のベクトルスコープを生成する第２の生成ステップと、
前記第１のベクトルスコープ及び前記第２のベクトルスコープを、異なる複数の色相範囲に分割し、同じ色相範囲毎に並置した画像を合成する合成ステップと、
を有することを特徴とする画像解析装置の制御方法である。
【００１１】
本発明の第５態様は、本発明に係る画像解析装置の制御方法の各ステップをコンピュータに実行させるためのプログラムである。
【発明の効果】
【００１２】
本発明によれば、複数の異なる方式のコンテンツの対応関係、差異の可視化を可能にする。
【図面の簡単な説明】
【００１３】
【図１】実施例１〜３に係る画像解析装置の概略構成を示すブロック図
【図２】実施例１〜３に係る画像解析装置のガンマ変換部の変換特性の例
【図３】実施例１に係る画像解析装置の波形モニタの描画例
【図４】実施例１〜３に係る画像データ１３１に基づく画像の一例
【図５】実施例１〜３に係る画像データ１４１に基づく画像の一例
【図６】実施例２に係る画像解析装置の波形モニタの描画例
【図７】実施例３に係る画像解析装置の波形モニタの描画例
【図８】実施例４に係る画像解析装置の概略構成を示すブロック図
【図９】実施例４に係る画像解析装置のベクトルスコープの描画例
【図１０】実施例４に係る各画像データに基づく画像の例
【発明を実施するための形態】
【００１４】
＜実施例１＞
本実施例では、画像データの明度の分布に関して、ＨＤＲ方式のコンテンツ（ＨＤＲ信号）とＳＤＲ方式のコンテンツ（ＳＤＲ信号）の対応関係、差異を可視化できる波形モニタの例を説明する。なお、本明細書では波形モニタという用語を、画像解析装置が画像データを解析した結果（グラフ）を指すものとしても用いる。
【００１５】
図１は、本実施例に係る画像解析装置の概略構成を示したブロック図である。画像解析装置は、画像データ１３１および画像データ１４１の２系統の画像データを入力できる。以下では、画像データ１３１がＳＤＲ信号、画像データ１４１がＨＤＲ信号であるとして説明する。画像解析装置は、画像データ１３１および画像データ１４１を解析し、その結果を可視化する。画像解析装置は、画像データ１３１に基づく画像を表示部１２３に表示
可能である。画像データ１３１および画像データ１４１は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ、登録商標）などの方式の画像データである。
【００１６】
本実施例に係る画像解析装置は、画像データ１３１の系統に関して、入力部１０１、ガンマ変換部１０２、解析部１０３、描画部１０４、画質調整部１２１を有する。また、本実施例に係る画像解析装置は、画像データ１４１の系統に関して、入力部１１１、ガンマ変換部１１２、解析部１１３、描画部１１４を有する。さらに本実施例に係る画像解析装置は、合成部１２２および表示部１２３を有する。
【００１７】
入力部１０１および入力部１１１は、デコードなど、入力された画像データの変換処理を行う。例えば入力部１０１および入力部１１１は、ＨＤＭＩ（登録商標）方式の画像データを受信し、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ、登録商標）のデコードなどの処理を行う。ガンマ変換部１０２は、画像データ１３１の画素値を実際の輝度に応じた値に変換する。ガンマ変換部１１２は、画像データ１４１の画素値を実際の輝度に応じた値に変換する。変換の詳細は、後述する。
【００１８】
解析部１０３および解析部１１３は、画像データの各画素について、位置と輝度値の情報を取得する。例えば解析部１０３および解析部１１３は、各画素の水平方向位置と輝度値を取得し、（ｘ，Ａ）のように整理する。ここで、ｘは該当する画素の水平方向位置を表し、Ａは輝度値を表すものとする。さらに解析部１０３および解析部１１３は、（ｘ，Ａ）に対応する画素数を計数する。よって、任意の水平方向位置に属し、任意の輝度値である画素の数が計数される。なお、本実施例では各画素について水平方向位置を取得するものとしたが、垂直方向位置が取得されてもよい。また、輝度値については絶対輝度値が取得されてもよいし、例えば対応する輝度値を最大輝度値で除した相対輝度値が取得されてもよい。輝度については、異なる方式の画像コンテンツの明度を比較可能な指標であれば、本実施例に適用できる。
【００１９】
描画部１０４および描画部１１４は、解析部１０３および解析部１１３の解析結果に基づいて波形モニタを描画する。描画部１０４は、本実施例では画像データの水平方向位置を横軸、ガンマ変換部１０２が出力した実際の輝度を縦軸として、波形モニタを描画する。また、描画部１１４は、画像データの水平方向位置を横軸、ガンマ変換部１１２が出力した実際の輝度を縦軸として、波形モニタを描画する。なお、以下では波形モニタの輝度を示す軸を明度軸とも呼ぶ。本実施例では、縦軸が明度軸である。
【００２０】
画質調整部１２１は、画像データ１３１に色味や明度の画質調整を行い、画像解析装置が表示する画像を生成する。
合成部１２２は、画質調整部１２１が出力した画像、描画部１０４および描画部１１４が出力した波形モニタの描画画像を合成する。より具体的には、合成部１２２は、波形モニタが有する明度軸同士を対応付けて、２つの波形モニタを並置した画像を合成する。合成部１２２は、画質調整部１２１が出力した画像に波形モニタを重畳してもよいし、画質調整部１２１が出力した画像、波形モニタだけの画像を単独で表示用の合成画像としてもよい。またそれらの表示モードがユーザーの入力によって切り替えられてもよい。
表示部１２３は、合成部１２２が出力した合成画像を表示する。
【００２１】
なお、本実施例に係る画像解析装置が備える各機能部は、ＣＰＵ（Ｃｅｎｔｒａｌ  Ｐｒｏｃｅｓｓｉｎｇ  Ｕｎｉｔ、不図示）の動作として実現される。具体的には、上述の各機能部は、不揮発性メモリ（不図示）に格納されたプログラムがＲＡＭ（Ｒａｎｄｏｍ
Ａｃｃｅｓｓ  Ｍｅｍｏｒｙ）などのワークメモリ（不図示）に展開され、これをＣＰ
Ｕが実行することにより実現される。
【００２２】
以下に、図を参照しながら、ガンマ変換部１０２、解析部１０３、描画部１０４、ガンマ変換部１１２、解析部１１３、描画部１１４の詳細を説明する。
図２Ａは、本実施例に係る画像解析装置のガンマ変換部１０２の変換特性を示すグラフである。横軸が入力される画像データ１３１の入力画素値であり、縦軸が出力輝度値である。本実施例では、画像データ１３１のガンマが２．２、最大輝度が１００ｃｄ／ｍ２であるとする。また、本実施例では、画像データ１３１（ガンマ変換部１０２への入力）およびガンマ変換部１０２の出力は、１０ビットのデジタルデータであるとする。ガンマ変換部１０２の入力の値域は、０〜１０２３であり、０が最も暗い黒色、１０２３が最も明るい白色に対応する。ガンマ変換部１０２の出力の値域は、０〜１００であり、０が最も暗い黒色、１００が最も明るい白色に対応する。画像データ１３１の最大輝度が１００ｃｄ／ｍ２であるから、ガンマ変換部１０２の入力が１０２３であるとき、出力は１００であり、輝度値は１００ｃｄ／ｍ２であることを意味する。また、ガンマ変換部１０２の入力が０であるとき、出力は０であり、輝度値は０ｃｄ／ｍ２であることを意味する。
【００２３】
図２Ｂは、本実施例に係る画像解析装置のガンマ変換部１１２の変換特性を示すグラフである。本実施例では、画像データ１４１のガンマが、ＳＭＰＴＥ  ＳＴ  ２０８４に規定されたＲｅｆｅｒｅｎｃｅ  Ｅｌｅｃｔｒｏ−Ｏｐｔｉｃａｌ  Ｔｒａｎｓｆｅｒ  Ｆｕｎｃｔｉｏｎ、最大輝度が４００ｃｄ／ｍ２であるとする。また、画像データ１４１（ガンマ変換部１１２への入力）およびガンマ変換部１１２の出力は、１０ビットのデジタルデータであるとする。ガンマ変換部１１２の入力の値域は、０〜１０２３であり、０が最も暗い黒色に対応する。入力の値が６６８のとき最も明るい白色となり、６６８〜１０２３の間では、出力値がクリップする。ガンマ変換部１１２の出力の値域は、０〜４００であり、０が最も暗い黒色、４００が最も明るい白色に対応する。画像データ１４１の最大輝度が４００ｃｄ／ｍ２であるから、ガンマ変換部１１２の入力が６６８〜１０２３であるとき、出力は４００であり、輝度値は４００ｃｄ／ｍ２であることを意味する。また、ガンマ変換部１１２の入力が０であるとき、出力は０であり、輝度値は０ｃｄ／ｍ２であることを意味する。
【００２４】
解析部１０３は、ガンマ変換部１０２が出力した結果に基づいて、各位置、輝度値に対応する画素の数を計数する。例えば解析部１０３は、各水平位置について、輝度値毎の画素数の計数を行う。解析部１０３は、水平方向位置が０である画素に対して（垂直方向位置は任意）、ガンマ変換部１０２が出力した輝度値が０である画素の数、輝度値が１である画素の数・・・輝度値が１００である画素の数を計数する。同様に、解析部１０３は、水平方向位置が１である画素に対して、上述のように各輝度値に対応する画素数の計数を繰り返し、全水平方向位置に対して計数を行う。
【００２５】
解析部１０３と同様に、解析部１１３は、ガンマ変換部１１２が出力した輝度値を計数する。水平方向位置が０である画素に対して（垂直方向位置は任意）、ガンマ変換部１１２が出力した輝度値が０である画素の数、輝度値が１である画素の数・・・輝度値が４００である画素の数を計数する。同様に、水平方向位置が１である画素に対して、上述のように各輝度値に対応する画素数の計数を繰り返し、全水平位置に対して画素を計数する。
【００２６】
描画部１０４は、解析部１０３が計数した結果に基づき、波形モニタを描画する。本実施例では、波形モニタは、横軸を画像データ１３１の水平方向位置を示す位置軸、縦軸をガンマ変換部１０２が出力した輝度値を示す明度軸として、解析部１０３が計数した画素の数にプロットの輝度または色を対応づけて、プロットする。
同様に、描画部１１４は、解析部１１３が計数した結果に基づき、波形モニタを描画する。波形モニタは、横軸を画像データ１４１の水平方向位置を示す位置軸、縦軸をガンマ
変換部１１２が出力した輝度値を示す明度軸として、解析部１１３が計数した画素の数にプロットの輝度または色を対応づけて、プロットする。これにより、水平方向位置、輝度値、対応する画素数の情報が波形モニタ上に表れる。
【００２７】
図３に、本実施例における波形モニタの描画例を示す。左側が、描画部１０４が画像データ１３１を解析した結果を描画したものであり、右側が、描画部１１４が画像データ１４１を解析した結果を描画したものである。画像データ１３１は、静止画であり、その画像を図４Ａに示す。画像データ１３１の静止画は、図４Ａに示すように、３通りの輝度値から構成され、各輝度値は、図４Ｂに示す通りである。画像データ１４１は、静止画であり、その画像を図５Ａに示す。画像データ１４１の静止画は、図５Ａに示すように、３通りの輝度値から構成され、各輝度値は、図５Ｂに示す通りである。
【００２８】
合成部１２２は、２つの波形モニタの明度軸に共通に含まれる範囲を対応付けて、波形モニタを並置する。本実施例では、合成部１２２は、明度軸に共通に含まれる範囲の位置を合わせて、２つの波形モニタを並置する。より具体的には、図３に示すように、合成部１２２は、画像データ１３１に基づく波形モニタと画像データ１４１に基づく波形モニタに共通に含まれる値域である０〜１００ｃｄ／ｍ２の位置を合わせて、２つの波形モニタを並置した画像を生成する。これによって、ＳＤＲ信号（画像データ１３１）とＨＤＲ信号（画像データ１４１）の波形モニタの明度（輝度値）が対応づけられて表示され、両信号の輝度分布の関係が把握しやすくなる。
【００２９】
なお、本実施例では、画像解析装置が、画像データ１３１を表示する構成として説明したが、画像データ１４１を表示する構成でもよい。また、画像解析装置が、画像データ１３１と画像データ１４１を同時に表示する構成でもよい。また、これらの構成がユーザーの入力によって切り替えられてもよい。
図２Ａに示したガンマ変換部１０２の変換特性、図２Ｂに示したガンマ変換部１１２の変換特性は一例であり、異なる特性で本発明を実施することも可能である。
図４Ａに示した画像データ１３１の画像、図４Ｂに示した画像データ１４１の画像は、一例であり、別の画像の信号に対して、本発明を実施することも可能である。
【００３０】
＜実施例２＞
本実施例では、画像データの明度の分布に関して、ＨＤＲ信号とＳＤＲ信号の対応関係、差異を可視化できる波形モニタの例を説明する。以下の説明では、実施例１との差異のみ記述する。
【００３１】
図６は、本実施例における波形モニタの描画例である。左側が、描画部１０４が画像データ１３１を解析した結果を描画したものであり、右側が、描画部１１４が画像データ１４１を解析した結果を描画したものである。画像データ１３１および画像データ１４１は、図４Ａおよび図５Ａに示す静止画である。
【００３２】
図６に示すように、合成部１２２は、画像データ１３１に基づく波形モニタと画像データ１４１に基づく波形モニタに共通に含まれる値域である０〜１００ｃｄ／ｍ２の位置を合わせて、２つの波形モニタを並置する。さらに本実施例では、合成部１２２が明度軸に共通に含まれる範囲外の範囲を圧縮して、２つの波形モニタを並置する。具体的には、合成部１２２が画像データ１４１に基づく波形モニタにだけ含まれる値域である１００〜４００ｃｄ／ｍ２に関する解析結果を、０〜１００ｃｄ／ｍ２の範囲に比べて、狭い範囲に圧縮して表示している。これによって、共通の値域の情報が強調され、２つの方式の画像コンテンツの比較が容易となる。
【００３３】
＜実施例３＞
本実施例では、画像データの明度の分布に関して、ＨＤＲ信号とＳＤＲ信号の対応関係、差異を可視化できる波形モニタの例を説明する。以下の説明では、実施例１との差異のみ記述する。
【００３４】
図７に、本実施例に係る波形モニタの描画例を示す。左側が、描画部１０４が画像データ１３１を解析した結果を描画したものであり、右側が、描画部１１４が画像データ１４１を解析した結果を描画したものである。画像データ１３１および画像データ１４１は、図４Ａおよび図５Ａに示す静止画である。
【００３５】
本実施例では、波形モニタの縦軸を百分率で表示している。描画部１０４が描画している画像データ１３１の波形モニタは、画像データ１３１の値域０〜１００ｃｄ／ｍ２に、０〜１００％が対応付けられている。描画部１１４が描画している画像データ１４１の波形モニタは、画像データ１４１の値域０〜４００ｃｄ／ｍ２に、０〜４００％が対応付けられている。
【００３６】
本実施例では、合成部１２２が明度軸に共通に含まれる特定の値の位置を合わせて、２つの波形モニタを並置する。具体的には、図７に示すように、縦軸１８％の位置が、描画部１０４が描画している画像データ１３１の波形モニタと描画部１１４が描画している画像データ１４１の波形モニタとで同一の位置になるように、合成部１２２が合成画像を生成する。この方法によれば、本実施例のように縦軸のスケールの異なる２つの波形モニタを比較する際に、基準となる特徴的な共通の縦軸の値を合わせることによって、２つの画像コンテンツの比較が容易になる。
【００３７】
＜実施例４＞
本実施例では、画像データの色相と彩度の分布に関して、ＨＤＲ信号とＳＤＲ信号の対応関係、差異を可視化できるベクトルスコープの例を説明する。なお、ベクトルスコープとは画像データの色分布を色相と彩度で表現する装置である。具体的には、ベクトルスコープは、色相を角度、彩度を中心からの距離で示した円（色相環）を解析結果として表示する。なお、本明細書ではベクトルスコープという用語を、画像解析装置が画像データを解析した結果（グラフ）を指すものとしても用いる。
【００３８】
図８に、本実施例に係る画像解析装置の概略構成を示すブロック図を示す。図１に示した実施例１のブロック図とは異なり、ガンマ変換部がなく、入力部１０１と解析部８０３（入力部１１１と解析部８１３）が直接接続される。解析部８０３、描画部８０４、解析部８１３、描画部８１４、合成部８２２は、実施例１とは、その動作が異なるため、詳細を後述する。他の構成部位の動作は、実施例１と同様である。
【００３９】
解析部８０３および解析部８１３は、画像データの各画素に対して、Ｒ−Ｙ値、Ｂ−Ｙ値を算出する。なお、本実施例では画像データは色差信号であるとする。Ｒ−Ｙ値、Ｂ−Ｙ値は、色差信号である画像データから各種演算をすれば算出可能であるが、この方法は公知であるため説明は省略する。
【００４０】
描画部８０４は、Ｂ−Ｙ値を横軸、Ｒ−Ｙ値を縦軸として、ベクトルスコープを描画し、解析部８０３が算出したＲ−Ｙ値およびＢ−Ｙ値をプロットする。描画部８１４は、Ｂ−Ｙ値を横軸、Ｒ−Ｙ値を縦軸として、ベクトルスコープを描画し、解析部８１３が算出したＲ−Ｙ値およびＢ−Ｙ値をプロットする。
【００４１】
図９に、本実施例におけるベクトルスコープの描画例を示す。左側が、描画部８０４が画像データ１３１を解析した結果を描画したものであり、右側が、描画部８１４が画像データ１４１を解析した結果を描画したものである。画像データ１３１および画像データ１
４１は、静止画であり、その画像を図１０Ａに示す。画像データ１３１および画像データ１４１の静止画は、図１０Ａに示すように、８通りの色から構成され、各色は、図１０Ｂに示す通りである。図１０Ａには、色のみ記載してあるが、画像データ１３１および画像データ１４１の明度は、互いに異なっていてもよいし、同じでもよい。
【００４２】
合成部８２２は、描画部８０４および描画部８１４が描画した２つのベクトルスコープをそれぞれ２分割し、Ｂ−Ｙ値が負の色相範囲同士、Ｂ−Ｙ値が正の色相範囲同士を並置する。さらに、合成部８２２は、Ｂ−Ｙ値が負の色相範囲同士を並置する場合に、Ｂ−Ｙ値の増加方向が内側を向くように対称的に配置し、Ｂ−Ｙ値が正の色相範囲同士を並置する場合にＢ−Ｙ値の増加方向が外側を向くように対称的に配置する。具体的には、図９に示すように、合成部８２２は、Ｂ−Ｙ値が負のとき、画像データ１３１の解析結果を上部左側にプロットする。合成部８２２は、Ｂ−Ｙ値が正のとき、画像データ１３１の解析結果を下部左側にプロットする。合成部８２２は、Ｂ−Ｙ値が負のとき、画像データ１４１の解析結果を上部右側にプロットする。合成部８２２は、Ｂ−Ｙ値が正のとき、画像データ１４１の解析結果を下部右側にプロットする。
【００４３】
上述のように本実施例では、合成部８２２が２つのベクトルスコープを異なる複数の色相範囲に分割し、同じ色相範囲毎に、互いの色相環の位置関係が対称的になるように並置した。これにより、ＳＤＲ信号（画像データ１３１）とＨＤＲ信号（画像データ１４１）に基づくベクトルスコープの色相および彩度が対応づけられて表示され、両信号の色相および彩度の分布の関係が把握しやすくなる。
【００４４】
上述のようなベクトルスコープの配置方法において、Ｒ−Ｙ値、Ｂ−Ｙ値のスケールを合わせることによって、入力されるコンテンツ同士の比較がより容易になることは言うまでもない。この場合、例えば、Ｒ−Ｙ値、Ｂ−Ｙ値のいずれか一方の軸だけのスケールを合わせることも本実施例に含まれる。
また、本実施例ではベクトルスコープを２分割としたが、３以上に分割する場合も本実施例に含まれる。この場合も、同一の色相範囲を対称的に配置することで、両信号の色相および彩度の分布の関係の把握が容易になる。
【００４５】
なお、上述の実施例１〜４では、異なる複数の方式としてＨＤＲ方式とＳＤＲ方式を例に説明したが、これら以外の方式のコンテンツについても、本発明は適用可能である。例えば、画像データ１３１と画像データ１４１がダイナミックレンジの異なる２つの画像データである場合にも本発明は適用可能である。また、３つ以上の異なる方式のコンテンツに本発明を適用することも可能である。
【００４６】
なお、実施例１〜４はあくまで一例であり、本発明の要旨の範囲内で実施例１〜４の構成を適宜変形したり変更したりすることにより得られる構成も、本発明に含まれる。実施例１〜４の構成を適宜組み合わせて得られる構成も、本発明に含まれる。
例えば、波形モニタの縦軸、横軸の割り当て方は任意である。縦軸又は横軸のいずれか一方は明度を示し、もう一方は入力画像データに基づく画像の水平または垂直位置を示す波形モニタは本発明に含まれる。
また、実施例１〜４では解析結果の比較をより容易にするため、波形モニタの明度軸あるいはベクトルスコープの色相範囲を対応付けたが、これらは必須ではない。合成部は、複数の波形モニタあるいはベクトルスコープを１つの描画画像に合成し、これによってユーザーが各解析結果を比較可能であればよい。したがって、各実施例の合成された描画画像には、明度軸や色相範囲の対応付けのない、複数の解析結果が１つの画像中に合成された描画画像も含まれる。これによってユーザーは、１つの画像の情報に基づいて、方式の異なる複数のコンテンツを容易に比較できる。
【００４７】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００４８】
なお、実施例１〜４の装置の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【符号の説明】
【００４９】
１０１、１１１：入力部    １０２、１１２：ガンマ変換部    １０３、１１３：解析部
１０４、１１４：描画部    １２３：表示部
【図１】
2018082316.tif 000003
【図２】
2018082316.tif 000004
【図３】
2018082316.tif 000005
【図４】
2018082316.tif 000006
【図５】
2018082316.tif 000007
【図６】
2018082316.tif 000008
【図７】
2018082316.tif 000009
【図８】
2018082316.tif 000010
【図９】
2018082316.tif 000011
【図１０】
2018082316.tif 000012